(57)【要約】  【課題】  アンカーボルトの植込み施工において、このアンカーボルトに強固に固定され、また取外しも簡易なアンカーボルトセッター用ソケットを提供すること。  【解決手段】  上記課題を解決するアンカーボルトセッター用ソケットは、外周面に回動用の角周面部２を有する本体１の下部位に、アンカーボルトＢに螺合するアンカーボルトねじ孔３が設けられ、上部位には、上面に回動用の角穴８ｂを有する固定ボルト８が螺合収容されており、前記アンカーボルトねじ孔３と固定ボルト８間には、このアンカーボルトねじ孔３と前記アンカーボルトＢの螺合に伴なって、このアンカーボルトＢの上端面Ｂ１と前記固定ボルト８のねじ杆部８ａの下端面８ｃに当接して、このアンカーボルトＢと前記本体１をダブルナット作用による固定状態にすることとなる押圧体７が設けられていることを特徴とし、しかもこの押圧体７は、アンカーボルトＢの上端面Ｂ１と固定ボルト８の下端面８ｃとの当接部位が球面状７ａに形成されているものである。【選択図】    図４
2005324269.tif 000002
【特許請求の範囲】
【請求項１】
外周面に回動用の角周面部を有する本体の下部位に、アンカーボルトに螺合するアンカーボルトねじ孔が設けられ、上部位には、上面に回動用の角穴を有する固定ボルトが螺合収容されており、前記アンカーボルトねじ孔と固定ボルト間には、このアンカーボルトねじ孔と前記アンカーボルトの螺合に伴なって、このアンカーボルトの上端面と前記固定ボルトのねじ杆部の下端面に当接して、このアンカーボルトと前記本体をダブルナット作用による固定状態にすることとなる押圧体が設けられていることを特徴とするアンカーボルトセッター用ソケット。
【請求項２】
押圧体は、アンカーボルトの上端面と固定ボルトの下端面との当接部位が球面状であることを特徴とする前記請求項１に記載のアンカーボルトセッター用ソケット。
【発明の詳細な説明】
【技術分野】
【０００１】
本発明は、機器などを構造物やコンクリート床などに固定するアンカーボルトの植込み施工に用いられるソケットに関するものである。
【背景技術】
【０００２】
コンクリートにアンカーボルトを植込む、植込み施工例としては、アンカーボルトの上端部位にダブルナットを締付けてアンカーボルトと一体状に固定して、接着作用をするケミカルカプセルを挿入したコンクリート穴にアンカーボルトを差し込み、このダブルナットにソケットレンチを嵌め、更にこのソケットレンチに、ハンマードリルに装着されたソケットアダプターを嵌め、アンカーボルトに回転と打撃を与えて植込むもので、その後ダブルナットを外す。
【０００３】
また、他例としては、アンカーボルトのねじ部に噛合う分割ナットを備えたソケットをアンカーボルトの上端部位に嵌めて、前記と同様に回転と打撃を与えることにより、この回転動で分割ナットを握持作用させ、これによりアンカーボルトを握持固定して植込んでいくもので、回転動の停止に伴ない握持固定状態が解離され、アンカーボルトからソケットを外す（例えば、特許文献１参照）。
【０００４】
【特許文献１】特開２００３−３２６４７１号公報
【発明の開示】
【発明が解決しようとする課題】
【０００５】
コンクリート床の穴などにアンカーボルトを植込む手段は、上記文献のごとく、アンカーボルトの上端部位をダブルナットや噛合握持機構を備えたソケットで固定し、この固定手段を介してアンカーボルトに回転と打撃を与えることにより埋込むものであるが、ダブルナットによる固定手段は、このダブルナットの締付け固定や施工後の取外しにおいて、２個のレンチ（スパナ）を必要とするなど作業が面倒である。
【０００６】
また、噛合握持機構ソケットによる固定手段は、施工時の回転動に伴なってアンカーボルトを握持固定するものであるから、ダブルナット手段にくらべ作業が簡易であるが、握持作動時において、アンカーボルトのねじと握持機構のねじ部の噛合がずれたり、ねじ相互に遊びがあることから強固に固定することができず、このガタが施工時の回転動及び打撃の繰返しによりアンカーボルトのねじ山を潰す原因となる。
【０００７】
本発明は、アンカーボルトの植込み施工において、このアンカーボルトに強固に固定され、また取外しも簡易なソケットを提供するものである。
【課題を解決するための手段】
【０００８】
上記課題を解決するアンカーボルトセッター用ソケットは、外周面に回動用の角周面部を有する本体の下部位に、アンカーボルトに螺合するアンカーボルトねじ孔が設けられ、上部位には、上面に回動用の角穴を有する固定ボルトが螺合収容されており、前記アンカーボルトねじ孔と固定ボルト間には、このアンカーボルトねじ孔と前記アンカーボルトの螺合に伴なって、このアンカーボルトの上端面と前記固定ボルトのねじ杆部の下端面に当接して、このアンカーボルトと前記本体をダブルナット作用による固定状態にすることとなる押圧体が設けられていることを特徴とし、しかもこの押圧体は、アンカーボルトの上端面と固定ボルトの下端面との当接部位が球面状に形成されているものである。
【発明の効果】
【０００９】
本発明に係るアンカーボルトセッター用ソケットは、アンカーボルトにアンカーボルトねじ孔を螺合していくことによりアンカーボルトの上端面で押圧体を押上げ、これにより押圧体の上下両端部位が、アンカーボルトの上端面と固定ボルトのねじ杆部の下端面に圧接され、この作用でアンカーボルトと固定ボルトの螺合部位がダブルナット作用状態となり、ねじ部遊びなくこのアンカーボルトとソケットが強固に固定されるので、植込み施工時にアンカーボルトのねじ部が潰れる恐れがなく、また、ハンマードリルの回転と打撃による過大負荷にあって、アンカーボルトと押圧体と固定ボルトの各当接部位が、互いに食い込む程に強圧接された事態にあっても、押圧体両端が球面状に形成されていると当接部位の回動摩擦抵抗が軽減され、植込み後の固定ボルトの緩め回動にあって、簡易に回動できることとなるから作業性も良い。
【実施例】
【００１０】
図は本発明に係るアンカーボルトセッター用ソケットの一実施例を示すもので、以下各図に基づき説明する。
【００１１】
図中符号Ａはアンカーボルトセッター用のソケットで、円柱状本体１の外周面上部位に、ハンマードリルに装着されたアタッチメントソケットや手動スパナの口部を嵌込む、平面視６角形の回動用角周面部２を有し（図１）、中央部位には、下位より順次アンカーボルトねじ孔３と押圧体孔４と固定ボルトねじ孔５及びその円形頭部収容孔６が縦列に貫通した状態で配設されている。
【００１２】
そしてアンカーボルトねじ孔３は、植込み施工する所望のアンカーボルトＢ径に対応する径寸法に設けられ、押圧体孔４にはピン状の押圧体７が上下移動可能に遊嵌されており、この押圧体７は、上下各端部位に半球面部７ａ，７ａが形成され、中央部位に形成された凸状周段部７ｂが、アンカーボルトねじ孔３との間部位に形成された係止周段孔４ａに係止された状態で収容されている。
【００１３】
更に固定ボルトねじ孔５と頭部収容孔６には、ねじ杆部８ａに続く円形頭部の上面に、回動用の６角形状を呈する角穴８ｂを設けた固定ボルト８が螺合収容されているものである。
【００１４】
このソケットＡによるアンカーボルトＢの植込み施工例としては、下端部位に下向きの角状嵌合穴２０ａを有する棒体状のアタッチメントソケット２０が装着されたハンマードリルＤによるものがある（図５）。
先ずアンカーボルトＢの上端部位に、ソケットＡのアンカーボルトねじ孔３を螺合して、アンカーボルトＢにソケットＡを仮固定する。このときアンカーボルトＢの上端面Ｂ１が押圧体７の下端部位の半球面部７ａに当接してこの押圧体７を押上げていき、更に上端部位の半球面部７ａが固定ボルト８のねじ杆部８ａの下端面８ｃに当接した状態となる。
【００１５】
そして、ソケットＡが仮固定されたアンカーボルトＢの尖頭状下端を、接着作用するケミカルカプセル９が挿入されたコンクリート床Ｃなどの穴１０に差込んで、本体１の角周面部２に前記アタッチメントソケット２０の角状嵌合穴２０ａを嵌めて、ハンマードリルＤの回転と打撃により施工穴１０に植込んでいくもので、このハンマードリルＤの回転と打撃に伴ない、ソケットＡが更にアンカーボルトＢに強く締込まれ、押圧体７の各半球面部７ａ，７ａの頂点部位が、固定ボルト８の下端面８ｃにおける中央部位と、アンカーボルトＢの上端面Ｂ１における中央部位に強圧接されて更に押圧され、これにより固定ボルト８が螺合された固定ボルトねじ孔５と、アンカーボルトＢが螺合されたアンカーボルトねじ孔３のそれぞれは、互いのねじ山の遊び間隙が密着されて強力なダブルナット作用をすることとなり、ソケットＡとアンカーボルトＢが強固に固定され、この状態でアンカーボルトＢがコンクリート床穴１０に植込まれる。
【００１６】
植込み後は、ソケットＡの上部位に螺合された固定ボルト８の角穴８ｂに角棒状回動ハンドル（ヘキサゴンソケットレンチ）を差込んでこの固定ボルト８を緩めることにより、前記固定状態であるダブルナット作用が解除されてソケットＡが回動可能となり、アンカーボルトＢからソケットＡを外すことにより植込み施工が完了する。
【００１７】
前記植込み施工時にあっては、ハンマードリルＤの回転と打撃により、一体状に固定されたアンカーボルトＢとソケットＡに過大な負荷が与えられることから、その結果特にアンカーボルトと押圧体が互いに食い込む程に強圧接されて、植込み後に固定ボルト８を緩めることができない事態となることがある。
【００１８】
そこで本例にあっては、前記のごとくアンカーボルトＢとソケットＡの固定状態において、アンカーボルトＢと固定ボルト８との間に押圧体７を介装し、しかも押圧体７の両端部位に形成された半球面部７ａ，７ａのそれぞれをアンカーボルトＢの上端面Ｂと固定ボルト８の下端面８ｃに当接させる手段を採ることにより点接触ないしは球面接触状態として、固定ボルト８の緩め回動における摩擦抵抗の軽減をはかっている。
これは、接触面が少ないほど好都合であるから、押圧体７の両端を台錐形に形成したピンや球体とすることも適当と思われる。
【００１９】
前記アンカーボルトＢの植込み施工手段は、勿論これに限るものではなく、またハンマードリルＤによらず、ソケットＡの回動用角周面２に手動スパナの口部を嵌めてアンカーボルトＢをコンクリート穴１０にねじ込む施工手段であっても良い。
【００２０】
この実施例によるアンカーボルトセッター用ソケットは、アンカーボルトにアンカーボルトねじ孔を螺合していくことによりアンカーボルトの上端面で押圧体を押上げ、これにより押圧体の上下両端部位の半球面部が、アンカーボルトの上端面と固定ボルトのねじ杆部の下端面に圧接され、この作用でアンカーボルトと固定ボルトの螺合部位がダブルナット作用状態となり、ねじ部遊びなくこのアンカーボルトとソケットが強固に固定されるので、植込み施工時にアンカーボルトのねじ部が潰れる恐れがなく、また、ハンマードリルの回転と打撃による過大負荷にあって、アンカーボルトと押圧体と固定ボルトの各当接部位が、互いに食い込む程に強圧接された事態にあっても、押圧体両端の半球面部が当接していることから、回動摩擦抵抗が軽減され、植込み後の固定ボルトの緩め回動にあって、簡易に回動できることとなるから作業性も良い。
【図面の簡単な説明】
【００２１】
【図１】平面図。
【図２】正面図。
【図３】縦断正面図。
【図４】ソケットをアンカーボルトに取付けた状態図。
【図５】植込み施工状態図。
【符号の説明】
【００２２】
Ａ      ソケット
Ｂ      アンカーボルト
Ｂ１    上端面
Ｃ      コンクリート床
Ｄ      ハンマードリル
１      本体
２      回動用角周面部
３      アンカーボルトねじ孔
４      押圧体孔
５      固定ボルトねじ孔
６      円形頭部収容孔
７      押圧体
７ａ    半球面部
８      固定ボルト
８ａ    ねじ杆部
８ｂ    角穴
８ｃ    下端面
９      ケミカルカプセル
１０    コンクリート床穴（施工穴）
２０    アタッチメントソケット
【図１】
2005324269.tif 000003
【図２】
2005324269.tif 000004
【図３】
2005324269.tif 000005
【図４】
2005324269.tif 000006
【図５】
2005324269.tif 000007